(57)【要約】  【課題】  ２種類のブラシ毛の配列具合によって放射状のブラシ毛の長さがまちまちとなり、ある部分では短いブラシ毛が集中し、ある部分では長いブラシ毛が集中することによりまだらになったりする。そのため、塗布液の付着が均一でなくなり、ある部分では、たっぷりと保液されるが、他の部分では保液が少なく、まつ毛に均一に塗布することが困難になる。  【解決手段】  合成樹脂製のフィラメントを束ねた塗布ブラシにおいて、この塗布ブラシが中空よりなるフィラメントであって、そのフィラメントの基部の断面形状及び中空部の断面形状が異形形状であり、また、そのフィラメントの一部に分割片を形成すると共に、その分割片が形成されたフィラメントを前記塗布ブラシの長手方向に沿って一部、又は、全部に亘り配置されている塗布ブラシ。【選択図】  図１
2009131334.tif 000002
【特許請求の範囲】
【請求項１】
合成樹脂製のフィラメントを束ねた塗布ブラシにおいて、この塗布ブラシが中空よりなるフィラメントであって、そのフィラメントの基部の断面形状及び中空部の断面形状が異形形状であり、また、そのフィラメントの一部に分割片を形成すると共に、その分割片が形成されたフィラメントを前記塗布ブラシの長手方向に沿って一部、又は、全部に亘り配置されていることを特徴とする塗布ブラシ。
【請求項２】
前記フィラメントは、フィラメントの基部断面形状及び中空部の断面形状が異形形状であるものを２種類以上混毛したことを特徴とする請求項１に記載の塗布ブラシ。
【請求項３】
前記フィラメントの分割片の長さが０．５〜５．０ｍｍとしたことを特徴とする請求項１、或いは、請求項２に記載の塗布ブラシ。
【発明の詳細な説明】
【技術分野】
【０００１】
本発明は、マスカラやリップカラーなどの化粧液、筆跡修正液、接着剤、化粧ブラシ、漆器用の平筆といった塗布ブラシに関し、インキの供給が良好で、筆記時のタッチが滑らかにした塗布ブラシに関するものである。
【背景技術】
【０００２】
従来のまつ毛にマスカラ液を塗布するのに一般的に使われる塗布ブラシは、２本の金属線間にブラシ毛を金属線に対して交差状に挟み、金属線をらせん状に捻ることによりブラシ毛を巻き輪間に固定させたタイプの塗布ブラシが広く使用されている。その形状としては、各ブラシ毛群の端部により形成した外部包絡線は、円筒形、円筒円すい形又は円すい形の形状を持つものが一般的である。
【０００３】
このような構造では、マスカラ液を収容した容器に塗布ブラシを挿入して、マスカラ液に浸し、取り出したときに容器口部に設けられている拭取り部により塗布ブラシがしごかれ、粘稠のマスカラ液が塗布ブラシの付根付近の金属線部分に溜まってしまい、その結果、塗布ブラシの毛先への付着量が少なくなってしまう。そのため、マスカラ液をたっぷりと塗布ブラシに付着したつもりでも塗布に有効な量とはならず、まつ毛に塗布したときにボリュームをつけることが難しく、無理に擦り付けようとすると、一様に付着されずにまだらになったり、時には、何度も塗布ブラシを容器に挿入するなどしてマスカラ液の補充操作をしなければならなかった。
【特許文献１】特開平５−１９２２２６号公報(特許請求範囲)。
【発明の開示】
【発明が解決しようとする課題】
【０００４】
そこで、こうした不具合を改善するために、塗布ブラシのブラシ毛の断面積が大きなブラシ毛と相対的に断面積が小さなブラシ毛とを混在させ、かつ後者の融点を前者の融点よりも高いものとし、金属線の撚りにより固定した後、過熱することで部分的に溶融させ、長さが相対的に短く外端部に毛玉状のふくらみを形成したブラシ毛を混毛させた塗布ブラシが提案されている。
しかしながら、この構造では、２種類のブラシ毛の配列具合によって放射状のブラシ毛の長さがまちまちとなり、ある部分では短いブラシ毛が集中し、ある部分では長いブラシ毛が集中することによりまだらになったりする。そのため、塗布液の付着が均一でなくなり、ある部分では、たっぷりと保液されるが、他の部分では保液が少なく、まつ毛に均一に塗布することが困難になる。そこで、これを避けるために製作時に２種類のブラシ毛の配列を精密に行う試作もなされたが、面倒で手間と時間がかかり、しかも、塗布ブラシの素体を作った後に、加熱手段による加熱工程を要するので工程が増し、コストが高くなるという問題が生じてしまった。さらに、この種の従来技術にあっては、ブラシ毛の形状が金属線にブラシ毛を配列した段階で決定されてしまうため、後には変更することは困難であり、仕様の自由度に乏しいという問題があった。つまり、無理に変更しようとブラシ毛に外力を加えてしまうと毛玉状のふくらみが取れてしまう危険性があるのである。
【課題を解決するための手段】
【０００５】
本発明は、合成樹脂製のフィラメントを束ねた塗布ブラシにおいて、この塗布ブラシが中空よりなるフィラメントであって、そのフィラメントの基部の断面形状及び中空部の断面形状が異形形状であり、また、そのフィラメントの一部に分割片を形成すると共に、その分割片が形成されたフィラメントを前記塗布ブラシの長手方向に沿って一部、又は、全部に亘り配置されていることを要旨とする。
【発明の効果】
【０００６】
本発明は、合成樹脂製のフィラメントを束ねた塗布ブラシにおいて、この塗布ブラシが中空よりなるフィラメントであって、そのフィラメントの基部の断面形状及び中空部の断面形状が異形形状であり、また、そのフィラメントの一部に分割片を形成すると共に、その分割片が形成されたフィラメントを前記塗布ブラシの長手方向に沿って一部、又は、全部に亘り配置されているので、ブラシ先端が均一に蜜集しているため、塗布時の塗布液の供給が良好で、安定したボリュームのある線が描けるマスカラ用塗布ブラシが得られるものである。又、ブラシ作成作業においても、加熱工程のようなものや段差形状にする必要でないため、通常の砲弾型の形状のものを砥石等の形状や押し付け距離を変えるだけで、前記のような品質が得られるため、あらいる形状のものや分割長さ等が1回の作業で出来るので、手間の削減やコスト低減ができる。
【発明を実施するための最良の形態】
【０００７】
以下、添付図面に基づき本発明の実施例を説明する。図１は本発明によるマスカラ用塗布ブラシ５に適用した第1例を示している。参照符号１は摘み、２は摘み１と一体の軸、３はフィラメント群３である。前記塗布ブラシ部５は、所定のピッチで螺旋状に巻回された芯線４と、該芯線４の軸線と交差して放射状に伸びる多数のフィラメント群３から構成されており、芯線４の後部が前記軸２に圧入されている。このものを所定の形状にフィラメント群３の外観を整えるカットを施しマスカラ塗布ブラシ５が構成されている。又、フィラメント群３は、フィラメント６の先端部を研磨機や繊維を叩いて２本以上に分割（分割片７）されて構成されている。そして、そのフィラメント６は塗布ブラシ５の長手方向に沿って複数個所に部分的に設けても良く、或いは、塗布ブラシ５の全部に亘って設けても良い。また、フィラメント６は、中空部８を有している。
尚、本実施例においては、マスカラ用塗布ブラシを１例として説明するが、これに限られることはなく、例えば、リップブラシや修正液、接着剤、化粧ブラシ、漆器用の平筆などのフィラメントに適用させても良い。
また、塗布用ブラシの構成として、ブラシ毛を金属製の芯線間にこれと交差状に配し、芯線をらせん状に巻回する構成について説明しているが、これに限られることはなく、例えば、フィラメントを束ねて後端部を熱溶着や接着剤等で固定したブラシと言った種々の構成に適宜適用が可能である。
【０００８】
各フィラメント６に使用している材質としては、ポリアミド(６，６―ナイロン、６―ナイロン、１２―ナイロン、６，１０―ナイロン、６，１２ナイロンなど)ポリエステル(ポリエチレンテレフタレート、ポリブチレンテレフタレート)などを用いることができるが、各ブラシ毛の材質は同一であっても異なっていても良い。
フィラメント６の基部の断面形状及び中空部断面形状が異形なフィラメント６は、市販品としてはタイネックスブラッシュフィラメント０９６０シリーズ(材質:ナイロン、断面形状:風車型(シーホース形状)、米国デュポン社製)、タイネックスブラッシュフィラメント:Ｄｉａｍｏｎｄ    Ｈｏｌｌｏｗ  Ｆｉｌａｍｅｎｔｓ(材質ナイロン、断面形状:四角形型、米国デュポン社製)、タイネックスブラッシュフィラメント:Ｓｐｌｉｔｔａｂｌｅ  Ｆｉｌａｍｅｎｔｅ(材質ＴＰＥ、断面形状:三角形型、米国デュポン社製)タイネックスブラッシュフィラメント:Ｓｕｐｅｒｓｏｆｔ  ｓｐｌｉｔｔａｂｌｅ(材質ポリエステル、断面形状:家紋型、米国デュポン社製)等が上げられる。
尚、断面異形形状とは、フィラメント６の軸方向に垂直な面の形状が円形以外のものであり、上記市販品として例示したように、略四角形状、略三角形状、略風車状、略家紋状や半円状、矩形状のものがあり、特に断面が略四角状・略三角状や略家紋状といった形状のものの方が半円形、矩形状のものより顕著な効果を示すので好ましい。
【０００９】
フィラメント６の基部の断面形状が異形なフィラメント６を使用する目的は、表面に角が多い方が、マスカラ液の掻き取り性を良くし、マスカラ液の保持を良くするので、１回の塗布操作でボリュームのある線が描けるために使用するものである。又、先端を分割する作業においても、フィラメント６に力を加えたときに多くの角があった方が分割された部分が外形に対して広がりにくく、均一に分割しやすいので、塗布時に安定した吐出量が得られるからである。又、フィラメント６の基部の断面形状が丸型であると、フィラメント６に力を加えたときに、分割された部分（分割片７）が外径に対して広がり易く均一な分割が得られず、ある部分では、先端の分割部が広がったりして、塗布ブラシ５内で密集しているところや密集していないところが出来て、その結果として、塗布時にマスカラ液が、塗布ブラシ５内で吐出状態にバラツキが発生して、均一な安定したボリュームのある仕上がりにならないからである。特に、基部の断面形状が四角形状、三角形状、風車状、家紋状のもの方が顕著な効果を示すので好ましい。
また、フィラメント６を分割し、分割片７を構成する目的としては、前記断面形状を異形にすると同様に、マスカラ液の保持性、即ち、分割した部分への保持性を良好なものとしている。尚、その分割片７は、２分割以上であるならば良いが、分割する増加に伴って、保持されるマスカラ液の液量も増加する。
【００１０】
フィラメント６の中空部８の断面形状が異形なフィラメント６を使用する目的は、断面形状の中空部８の中にマスカラ液が入り込み、そのマスカラ液の保持を良くすると共に、フィラメント６の乾燥性を遅くするので、長い時間使用してもカスレなどの不具合が出にくい。又、先端を分割する作業において、中空部８の断面形状が異形の方が表面積が大きいことや中空部８内に筋が多い方が分割され易く、分割される本数が多くなり、又、基部断面に突起部(風車型)が多い方が分割され易くなるので、フィラメント６の先端の密度が密集するので、マスカラ液を保持し易く、１回の塗布操作で安定した線が描けるために使用するものである。
又、フィラメント６の中空部８の断面形状を丸型にすると、先端を分割する際において、フィラメント６に力を加えたとき中空部が潰れやすくなったり、異形に比べて表面積が小さいことや筋が少ないので分割し難くいため、フィラメント６表面が不均一になり、分割される本数が減ったりするので、結果として、そのフィラメント６の向きが一定せずフィラメント６間における空間にバラツキが発生してしまい、フィラメント群３が広がったり、バラケて塗布時に均一な塗布が得られないからである。尚、フィラメント６の中空部の断面形状が四角形状、三角形状、風車状、家紋状のもの方が顕著な効果を示すので好ましい。又、フィラメント６の中空部８の穴の数は、１〜６個が好ましい。
【００１１】
上記フィラメント６の基部の断面形状及び中空部８の断面形状が異形形状のものを使用する時は、インキの種類によって、フィラメント６の基部断面形状及び中空部断面形状をのみならず、クリンプ繊維、研磨剤入り繊維、丸型繊維等を混毛して使用することも出来る。
【００１２】
本発明のフィラメント群３を製造するに当たっては、フィラメント６を金属製の芯線間に、これと交差状に配し、芯線をらせん状巻回することによりフィラメント群３を構成する。前記分割片７が形成されたフィラメント６は、そのフィラメント６の基部断面形状及び中空部断面形状が異形形状であり、塗布ブラシ５の少なくとも長手方向に沿って一部又は全部に亘り配置するのが好ましい。又、フィラメント６の先端にテーパー加工を施し、先端を分割して使用しても良い。
【００１３】
以下、本発明の実施例を図面を参照して説明する。図２(ａ)において、基部の断面形状及び中空部８の断面形状が異形なフィラメント６を所定の長さに裁断して、無作為に配列し、次いでフィラメント６の長さのほぼ中央部を芯線４ａ、４ｂで挟持する。この場合、芯線４ａ、４ｂは１本の芯線４を折曲げて形成したものであってよい。
【００１４】
図２（ｂ）に示すように、芯線４ａ、４ｂを捩り合わせると、フィラメント群３は、芯線４ａ、４ｂの形成する螺旋パターンに従って芯線４ａ、４ｂに固定され、外形がほぼ円柱状の螺旋ループを描いてマスカラ用塗布ブラシ５が形成される。
図２(ｃ)に示すように、マスカラ用塗布ブラシ５の外形を形成しているフィラメント６の毛先を剪定して所要の形状に外形を整えて形成する。フィラメント群３は、フィラメント６の基部の断面形状及び中空部８の断面形状が異形のものを用いるが、他の条件を表１に示す。
【００１５】
【表１】
2009131334.tif 000003
【００１６】
実施例１〜１２、比較例１３〜２４
表２に実施例1〜１２、並びに、比較例１３〜２４のマスカラ塗布ブラシ５のフィラメント６の基部の断面形状及び中空部８の断面形状と分割する長さを示す。
【００１７】
【表２】
2009131334.tif 000004
【００１８】
上記実施例１〜１２および比較例１３〜２４のフィラメント６を用いて図１のようなマスカラ用塗布ブラシ５を形成し、塗布試験を行った。
【００１９】
塗布試験(モニター調査)
方法:任意に抽出したモニターに実際にマスカラ用塗布ブラシ５を使用してもらい、使用性についてのモニター調査を実施した。又、フィラメント６の先端の分割のし易さについても評価を実施した。その調査結果を表３に示す。
【００２０】
【表３】
2009131334.tif 000005
【図面の簡単な説明】
【００２１】
【図１】（ａ）本発明に係わるマスカラ用塗布ブラシである。  （ｂ）要部拡大図である。
【図２】（ａ）はブラシ毛を針金に挟持した状態を示す。  （ｂ）は針金を捩ってブラシ素材を形成した状態を示す。  （ｃ）は成形されたブラシ素材を示す。
【図３】本発明に係わるマスカラ用塗布ブラシのフィラメント先端の拡大模式図である。
【図４】本発明に係わるマスカラ塗布ブラシのフィラメントの拡大模式図である。
【図５】本発明に係わるマスカラ塗布ブラシのフィラメントの基部断面形状及び中空部断面形状の拡大模式図である。
【図６】変形例を示す図である。
【図７】変形例を示す図である。
【図８】変形例を示す図である。
【図９】本発明に係るノック式リップライナーの側面図である。
【符号の説明】
【００２２】
１    摘み
２    摘み1と一体の軸
３    フィラメント群
４    芯線
５    塗布ブラシ
６    フィラメント
７    分割片
８    中空部
【図１】
2009131334.tif 000006
【図２】
2009131334.tif 000007
【図３】
2009131334.tif 000008
【図４】
2009131334.tif 000009
【図５】
2009131334.tif 000010
【図６】
2009131334.tif 000011
【図７】
2009131334.tif 000012
【図８】
2009131334.tif 000013
【図９】
2009131334.tif 000014